(57)【要約】【課題】本発明は靴下成形設備を開示した。【解決手段】装置箱を含み、モーターを起動し、モーターがスライド軸と針とを上下にスライドさせて口を縫い、モーターが第一歯車を回転連動させ、第一歯車がウォームホイールを回転連動させ、ウォームホイールが回転してネジ山スリーブを前後に移動連動させ、ネジ山スリーブが前後に移動することにより支持台を連動して靴下の口縫い位置を調節し、挟みヘッドが靴下を挟んで口縫いの質を保証し、折返し機構によって口縫い完了の靴下を自動的に折返し、口縫い機構と移動機構との協働によって靴下の口を自動的に縫い成形させ、本装置が口縫い成形と靴下折返しとを備え、プロセスを集中し、コストを下げ、生産効率を上げる。【選択図】図１
2020176360.tif 000002
【特許請求の範囲】
【請求項１】
装置箱を含み、前記装置箱の中には口縫いチャンバが設けられ、前記口縫いチャンバの中には靴下を折返す折返し機構が設けられ、前記折返し機構は靴下を支持する支持台と靴下を押し動かす押し広げロッドとを含み、前記折返し機構は折返し台も含み、前記折返し機構の上側には口縫い機構が設けられ、前記口縫い機構は針と口縫いの時に靴下を挟む挟みヘッドとを含み、前記口縫いチャンバの底壁と前記装置箱の頂部端面との間には制御溝が連通し設けられ、前記制御溝の中には制御機構が設けられ、前記制御機構は踏み板と装置の作動を制御する総合制御スイッチとを含み、前記折返し機構の後側には口縫い機構の運動と協働する移動機構が設けられ、前記移動機構は支持台を押し動かすネジ山スリーブを含むことを特徴とする靴下成形設備。
【請求項２】
前記折返し機構はスライドスリーブを含み、前記スライドスリーブが前記支持台にスライドできるように係合し取り付けられ、前記支持台が前後にスライドできるように前記口縫いチャンバの右側内壁に取り付けられ、前記口縫いチャンバが前記装置箱の中に設けられ、前記口縫いチャンバの右側内壁の中には第一シリンダーが固定的に取り付けられ、前記第一シリンダーの左側のピストンプッシュロッドが第一シリンダー軸と固定的に連結され、前記第一シリンダー軸にはプッシュロッドが固定的に連結され、前記スライドスリーブにはスライドロッドが固定的に取り付けられ、前記スライドロッドと前記プッシュロッドとがスライドできるように係合し、前記スライドスリーブには電磁ブロックが固定的に取り付けられ、前記押し広げロッドが上下に対称的に前記スライドスリーブにヒンジによって取り付けられ、前記押し広げロッドとヒンジ台との間にはトーションバネが固定的に取り付けられ、前記スライドスリーブには磁性スライドスリーブがスライドできるように係合し取り付けられ、前記磁性スライドスリーブの中にはスライド溝が上下に対称的に設けられ、前記スライドスリーブが磁性スライドスリーブを吸着でき、前記支持台の左側端面にはシリンダースイッチが固定的に取り付けられ、前記口縫いチャンバの左側には折返しチャンバが設けられ、前記折返しチャンバの上側には前記折返しチャンバと互いに連通している上げチャンバが設けられ、前記折返しチャンバの左側内壁の中には第二シリンダーが固定的に取り付けられ、前記第二シリンダーの右側ピストンプッシュロッドには第二シリンダー軸が固定的に連結され、前記第二シリンダー軸の右側端面にはプッシュブロックが固定的に取り付けられ、前記第二シリンダー軸には固定ロッドが固定的に取り付けられ、前記固定ロッドが前記折返し台に固定的に取り付けられ、前記折返し台と前記装置箱とがスライドできるように係合し、これにより第二シリンダーを起動し、第二シリンダーが折返し台を押し動かしてシリンダースイッチを押し、シリンダースイッチが第一シリンダーを起動連動させ、電磁ブロックを通電させ、電磁ブロックが磁性スライドスリーブを吸着することによって押し広げロッドが靴下を押し広げ、第一シリンダーがスライドスリーブを折返し台まで左に押し動かして靴下を折返し、折返し完了後に折返し台が戻ることを特徴とする請求項１に記載の靴下成形設備。
【請求項３】
前記口縫い機構はフライホイールチャンバを含み、前記フライホイールチャンバの右側内壁の中にはモーターが固定的に取り付けられ、前記モーターの左側出力軸には第一モーター軸が固定的に連結され、前記第一モーター軸の左側端面にはフライホイールが固定的に取り付けられ、前記フライホイールには第一連結ロッドが回転できるように係合し取り付けられ、前記第一連結ロッドには第二連結ロッドが回転できるように係合し取り付けられ、前記フライホイールチャンバと前記口縫いチャンバとの間にはスライド軸がスライドできるように係合し取り付けられ、前記スライド軸と前記第二連結ロッドとが回転できうように係合し取り付けられ、前記針が前記スライド軸の底部端面に固定的に取り付けられ、前記スライド軸にはスライドブロックが固定的に取り付けられ、前記スライドブロックと前記プッシュブロックとがスライドできるように係合し、前記スライド軸には挟みロッドが固定的に取り付けられ、前記挟みロッドには固定挟みロッドが固定的に取り付けられ、前記挟みヘッドが前記固定挟みロッドにスライドできるように係合し取り付けられ、前記挟みヘッドの中には挟みスライド溝が設けられ、前記挟みスライド溝の底壁と前記固定挟みロッドの底部端面との間には挟みバネが固定的に取り付けられ、これによりモーターを起動し、モーターがスライド軸と針とを上下にスライドさせて口を縫い、挟みヘッドが靴下を挟んで口縫いの質を保証し、口縫いが終わった後にモーターを止めることを特徴とする請求項１に記載の靴下成形設備。
【請求項４】
前記制御機構は口縫い台を含み、前記口縫い台には支持ロッドがヒンジによって係合し取り付けられ、前記口縫い台において前記支持ロッドの前側には第一スライドロッドがヒンジによって係合し取り付けられ、前記制御溝が前記口縫いチャンバの底壁に設けられ、且つ前記装置箱の底部端面と互いに連通しており、前記踏み板が前記制御溝の右側内壁にヒンジによって取り付けられ、前記踏み板には第二スライドロッドがスライドできるように係合し取り付けられ、前記第二スライドロッドと前記制御溝の右側内壁とがヒンジによって係合し、前記第二スライドロッドと前記第一スライドロッドとがスライドできるように係合し、前記支持ロッドと前記制御溝とがヒンジによって係合し取り付けられ、前記制御溝の右側内壁には総合制御スイッチが固定的に取り付けられ、前記踏み板と前記制御溝の頂壁との間には復帰バネが固定的に取り付けられ、前記踏み板には押しブロックが固定的に取り付けられ、前記押しブロックが前記制御溝の頂壁と押し当てることができ、これにより靴下の口縫いを縫い終わった後、踏み板を踏み、踏み板が第二スライドロッドと第一スライドロッドとを連動させて口縫い台を回し、踏み板を踏み続け、踏み板が総合制御スイッチを押し、総合制御スイッチがモーターを止め、総合制御スイッチが第二シリンダーを起動することを特徴とする請求項１に記載の靴下成形設備。
【請求項５】
前記移動機構は前記フライホイールチャンバの右側に設けられた歯車チャンバを含み、前記モーターの右側出力軸端面には第二モーター軸が固定的に連結され、前記第二モーター軸の右側端面には第一歯車が固定的に取り付けられ、前記歯車チャンバの下側にはウォームホイールウォームチャンバが設けられ、前記ウォームホイールウォームチャンバと前記歯車チャンバとの間にはウォーム軸が回転できるように係合し取り付けられ、前記ウォーム軸の頂部端面には第二歯車が固定的に取り付けられ、前記第二歯車と前記第一歯車とが噛合し、前記ウォーム軸には一段のウォームが設けられ、前記口縫いチャンバの後側内壁には前記口縫いチャンバと互いに連通しているネジ山スリーブスライド溝が設けられ、前記ネジ山スリーブが前記支持台に固定的に取り付けられ、前記ネジ山スリーブと前記ネジ山スリーブスライド溝とがスライドできるように係合し、前記ネジ山スリーブスライド溝と前記ウォームホイールウォームチャンバとの間にはネジ山軸が回転できるように係合し取り付けられ、前記ネジ山軸にはウォームホイールが固定的に取り付けられ、前記ウォームホイールが前記ウォームと噛合し、前記ネジ山軸と前記ネジ山スリーブとがねじ山によって係合し、これによりモーターを起動し、モーターが第一歯車を回転連動させ、第一歯車がウォームを回転連動させ、ウォームが回転してウォームホイールを回転連動させ、ウォームホイールが回転してネジ山スリーブを前後に移動連動させ、ネジ山スリーブが前後に移動することにより支持台を連動して靴下の口縫い位置を調節することを特徴とする請求項１に記載の靴下成形設備。
【発明の詳細な説明】
【技術分野】
【０００１】
本発明は生活用品分野を取り上げて、具体的には靴下成形設備である。
【背景技術】
【０００２】
靴下は人々が履く日常用品として、使用量が非常に大きく、靴下を製造し成形する時に多数の労働者と、多種類の機械設備と、断続的な多数のプロセスとが必要とされ、靴下本体が作り終わった後に口を縫う必要があり、口を縫った後に靴下を折返す必要があり、一般的には手動で行うが、今使用されている成形設備は靴を折返す機能がなく、生産のプロセスが分けられており、大量の中間プロセスを増やし、効率が低くてコストが高くなり、設備が占める空間が大きく、生産面積の産能を下げ、従って、口縫い成形と靴下折返しとを備える加工成形設備が必要とされ、コストを下げ、効率を上げる。
【先行技術文献】
【特許文献】
【０００３】
【特許文献１】中国特許出願公開第106958108号明細書
【発明の概要】
【発明が解決しようとする課題】
【０００４】
本発明の目的は靴下成形設備を提供し、それは上記の現在の技術中の問題を解決できる。
【課題を解決するための手段】
【０００５】
本発明の靴下成形設備は、装置箱を含み、前記装置箱の中には口縫いチャンバが設けられ、前記口縫いチャンバの中には靴下を折返す折返し機構が設けられ、前記折返し機構は靴下を支持する支持台と靴下を押し動かす押し広げロッドとを含み、前記折返し機構は折返し台も含み、前記折返し機構の上側には口縫い機構が設けられ、前記口縫い機構は針と口縫いの時に靴下を挟む挟みヘッドとを含み、前記口縫いチャンバの底壁と前記装置箱の頂部端面との間には制御溝が連通し設けられ、前記制御溝の中には制御機構が設けられ、前記制御機構は踏み板と装置の作動を制御する総合制御スイッチとを含み、前記折返し機構の後側には口縫い機構の運動と協働する移動機構が設けられ、前記移動機構は支持台を押し動かすネジ山スリーブを含む。
【０００６】
更の技術プラン、前記折返し機構はスライドスリーブを含み、前記スライドスリーブが前記支持台にスライドできるように係合し取り付けられ、前記支持台が前後にスライドできるように前記口縫いチャンバの右側内壁に取り付けられ、前記口縫いチャンバが前記装置箱の中に設けられ、前記口縫いチャンバの右側内壁の中には第一シリンダーが固定的に取り付けられ、前記第一シリンダーの左側のピストンプッシュロッドが第一シリンダー軸と固定的に連結され、前記第一シリンダー軸にはプッシュロッドが固定的に連結され、前記スライドスリーブにはスライドロッドが固定的に取り付けられ、前記スライドロッドと前記プッシュロッドとがスライドできるように係合し、前記スライドスリーブには電磁ブロックが固定的に取り付けられ、前記押し広げロッドが上下に対称的に前記スライドスリーブにヒンジによって取り付けられ、前記押し広げロッドとヒンジ台との間にはトーションバネが固定的に取り付けられ、前記スライドスリーブには磁性スライドスリーブがスライドできるように係合し取り付けられ、前記磁性スライドスリーブの中にはスライド溝が上下に対称的に設けられ、前記スライドスリーブが磁性スライドスリーブを吸着でき、前記支持台の左側端面にはシリンダースイッチが固定的に取り付けられ、前記口縫いチャンバの左側には折返しチャンバが設けられ、前記折返しチャンバの上側には前記折返しチャンバと互いに連通している上げチャンバが設けられ、前記折返しチャンバの左側内壁の中には第二シリンダーが固定的に取り付けられ、前記第二シリンダーの右側ピストンプッシュロッドには第二シリンダー軸が固定的に連結され、前記第二シリンダー軸の右側端面にはプッシュブロックが固定的に取り付けられ、前記第二シリンダー軸には固定ロッドが固定的に取り付けられ、前記固定ロッドが前記折返し台に固定的に取り付けられ、前記折返し台と前記装置箱とがスライドできるように係合する。
【０００７】
更の技術プラン、前記口縫い機構はフライホイールチャンバを含み、前記フライホイールチャンバの右側内壁の中にはモーターが固定的に取り付けられ、前記モーターの左側出力軸には第一モーター軸が固定的に連結され、前記第一モーター軸の左側端面にはフライホイールが固定的に取り付けられ、前記フライホイールには第一連結ロッドが回転できるように係合し取り付けられ、前記第一連結ロッドには第二連結ロッドが回転できるように係合し取り付けられ、前記フライホイールチャンバと前記口縫いチャンバとの間にはスライド軸がスライドできるように係合し取り付けられ、前記スライド軸と前記第二連結ロッドとが回転できうように係合し取り付けられ、前記針が前記スライド軸の底部端面に固定的に取り付けられ、前記スライド軸にはスライドブロックが固定的に取り付けられ、前記スライドブロックと前記プッシュブロックとがスライドできるように係合し、前記スライド軸には挟みロッドが固定的に取り付けられ、前記挟みロッドには固定挟みロッドが固定的に取り付けられ、前記挟みヘッドが前記固定挟みロッドにスライドできるように係合し取り付けられ、前記挟みヘッドの中には挟みスライド溝が設けられ、前記挟みスライド溝の底壁と前記固定挟みロッドの底部端面との間には挟みバネが固定的に取り付けられる。
【０００８】
更の技術プラン、前記制御機構は口縫い台を含み、前記口縫い台には支持ロッドがヒンジによって係合し取り付けられ、前記口縫い台において前記支持ロッドの前側には第一スライドロッドがヒンジによって係合し取り付けられ、前記制御溝が前記口縫いチャンバの底壁に設けられ、且つ前記装置箱の底部端面と互いに連通しており、前記踏み板が前記制御溝の右側内壁にヒンジによって取り付けられ、前記踏み板には第二スライドロッドがスライドできるように係合し取り付けられ、前記第二スライドロッドと前記制御溝の右側内壁とがヒンジによって係合し、前記第二スライドロッドと前記第一スライドロッドとがスライドできるように係合し、前記支持ロッドと前記制御溝とがヒンジによって係合し取り付けられ、前記制御溝の右側内壁には総合制御スイッチが固定的に取り付けられ、前記踏み板と前記制御溝の頂壁との間には復帰バネが固定的に取り付けられ、前記踏み板には押しブロックが固定的に取り付けられ、前記押しブロックが前記制御溝の頂壁と押し当てることができる。
【０００９】
更の技術プラン、前記移動機構は前記フライホイールチャンバの右側に設けられた歯車チャンバを含み、前記モーターの右側出力軸端面には第二モーター軸が固定的に連結され、前記第二モーター軸の右側端面には第一歯車が固定的に取り付けられ、前記歯車チャンバの下側にはウォームホイールウォームチャンバが設けられ、前記ウォームホイールウォームチャンバと前記歯車チャンバとの間にはウォーム軸が回転できるように係合し取り付けられ、前記ウォーム軸の頂部端面には第二歯車が固定的に取り付けられ、前記第二歯車と前記第一歯車とが噛合し、前記ウォーム軸には一段のウォームが設けられ、前記口縫いチャンバの後側内壁には前記口縫いチャンバと互いに連通しているネジ山スリーブスライド溝が設けられ、前記ネジ山スリーブが前記支持台に固定的に取り付けられ、前記ネジ山スリーブと前記ネジ山スリーブスライド溝とがスライドできるように係合し、前記ネジ山スリーブスライド溝と前記ウォームホイールウォームチャンバとの間にはネジ山軸が回転できるように係合し取り付けられ、前記ネジ山軸にはウォームホイールが固定的に取り付けられ、前記ウォームホイールが前記ウォームと噛合し、前記ネジ山軸と前記ネジ山スリーブとがねじ山によって係合する。
【発明の効果】
【００１０】
本発明は構造が簡単で、操作が便利であり、折返し機構によって口縫い完了の靴下を自動的に折返し、人員の手動労働を減らし、口縫い機構と移動機構との協働によって靴下の口を自動的に縫い成形させ、縫う口の質を保証し、本装置が口縫い成形と靴下折返しとを備え、プロセスを集中し、コストを下げ、生産効率を上げ、普及価値がある。
【図面の簡単な説明】
【００１１】
【図１】図１は本発明の全体構成略図
【図２】図２は図１のＡ−Ａの断面構成略図
【図３】図３は図１のＢ−Ｂの断面構成略図
【発明を実施するための形態】
【００１２】
以下、図１−３を合わせて本発明について詳しく説明し、また、説明の便利を図るため、下記に記載の上下左右前後方向が図１自身の投影関係の上下左右前後方向と一致することにする。
【００１３】
図１−３を参照し、本発明の靴下成形設備は、装置箱１０を含み、前記装置箱１０の中には口縫いチャンバ１１が設けられ、前記口縫いチャンバ１１の中には靴下を折返す折返し機構３００が設けられ、前記折返し機構３００は靴下を支持する支持台４４と靴下を押し動かす押し広げロッド４６とを含み、前記折返し機構３００は折返し台４３も含み、前記折返し機構３００の上側には口縫い機構３０１が設けられ、前記口縫い機構３０１は針３９と口縫いの時に靴下を挟む挟みヘッド４０とを含み、前記口縫いチャンバ１１の底壁と前記装置箱１０の頂部端面との間には制御溝６１が連通し設けられ、前記制御溝６１の中には制御機構３０２が設けられ、前記制御機構３０２は踏み板６２と装置の作動を制御する総合制御スイッチ６９とを含み、前記折返し機構３００の後側には口縫い機構３０１の運動と協働する移動機構３０３が設けられ、前記移動機構３０３は支持台４４を押し動かすネジ山スリーブ５８を含む。
【００１４】
有益的には、前記折返し機構３００はスライドスリーブ５０を含み、前記スライドスリーブ５０が前記支持台４４にスライドできるように係合し取り付けられ、前記支持台４４が前後にスライドできるように前記口縫いチャンバ１１の右側内壁に取り付けられ、前記口縫いチャンバ１１が前記装置箱１０の中に設けられ、前記口縫いチャンバ１１の右側内壁の中には第一シリンダー１５が固定的に取り付けられ、前記第一シリンダー１５の左側のピストンプッシュロッドが第一シリンダー軸１６と固定的に連結され、前記第一シリンダー軸１６にはプッシュロッド１４が固定的に連結され、前記スライドスリーブ５０にはスライドロッド６０が固定的に取り付けられ、前記スライドロッド６０と前記プッシュロッド１４とがスライドできるように係合し、前記スライドスリーブ５０には電磁ブロック５１が固定的に取り付けられ、前記押し広げロッド４６が上下に対称的に前記スライドスリーブ５０にヒンジによって取り付けられ、前記押し広げロッド４６とヒンジ台との間にはトーションバネ４９が固定的に取り付けられ、前記スライドスリーブ５０には磁性スライドスリーブ４７がスライドできるように係合し取り付けられ、前記磁性スライドスリーブ４７の中にはスライド溝４８が上下に対称的に設けられ、前記スライドスリーブ５０が磁性スライドスリーブ４７を吸着でき、前記支持台４４の左側端面にはシリンダースイッチ４５が固定的に取り付けられ、前記口縫いチャンバ１１の左側には折返しチャンバ３６が設けられ、前記折返しチャンバ３６の上側には前記折返しチャンバ３６と互いに連通している上げチャンバ３５が設けられ、前記折返しチャンバ３６の左側内壁の中には第二シリンダー３２が固定的に取り付けられ、前記第二シリンダー３２の右側ピストンプッシュロッドには第二シリンダー軸３３が固定的に連結され、前記第二シリンダー軸３３の右側端面にはプッシュブロック３０が固定的に取り付けられ、前記第二シリンダー軸３３には固定ロッド３４が固定的に取り付けられ、前記固定ロッド３４が前記折返し台４３に固定的に取り付けられ、前記折返し台４３と前記装置箱１０とがスライドできるように係合し、これにより第二シリンダー３２を起動し、第二シリンダー３２が折返し台４３を押し動かしてシリンダースイッチ４５を押し、シリンダースイッチ４５が第一シリンダー１５を起動連動させ、電磁ブロック５１を通電させ、電磁ブロック５１が磁性スライドスリーブ４７を吸着することによって押し広げロッド４６が靴下を押し広げ、第一シリンダー１５がスライドスリーブ５０を折返し台４３まで左に押し動かして靴下を折返し、折返し完了後に折返し台４３が戻る。
【００１５】
有益的には、前記口縫い機構３０１はフライホイールチャンバ２７を含み、前記フライホイールチャンバ２７の右側内壁の中にはモーター２２が固定的に取り付けられ、前記モーター２２の左側出力軸には第一モーター軸２３が固定的に連結され、前記第一モーター軸２３の左側端面にはフライホイール２４が固定的に取り付けられ、前記フライホイール２４には第一連結ロッド２５が回転できるように係合し取り付けられ、前記第一連結ロッド２５には第二連結ロッド２６が回転できるように係合し取り付けられ、前記フライホイールチャンバ２７と前記口縫いチャンバ１１との間にはスライド軸２８がスライドできるように係合し取り付けられ、前記スライド軸２８と前記第二連結ロッド２６とが回転できうように係合し取り付けられ、前記針３９が前記スライド軸２８の底部端面に固定的に取り付けられ、前記スライド軸２８にはスライドブロック２９が固定的に取り付けられ、前記スライドブロック２９と前記プッシュブロック３０とがスライドできるように係合し、前記スライド軸２８には挟みロッド３７が固定的に取り付けられ、前記挟みロッド３７には固定挟みロッド３８が固定的に取り付けられ、前記挟みヘッド４０が前記固定挟みロッド３８にスライドできるように係合し取り付けられ、前記挟みヘッド４０の中には挟みスライド溝４１が設けられ、前記挟みスライド溝４１の底壁と前記固定挟みロッド３８の底部端面との間には挟みバネ４２が固定的に取り付けられ、これによりモーター２２を起動し、モーター２２がスライド軸２８と針３９とを上下にスライドさせて口を縫い、挟みヘッド４０が靴下を挟んで口縫いの質を保証し、口縫いが終わった後にモーター２２を止め、第二シリンダー３２が始動してプッシュブロック３０を連動させ、プッシュブロック３０がスライド軸２８を上に押し動かし、針３９を口縫い状態から離脱させる。
【００１６】
有益的には、前記制御機構３０２は口縫い台６５を含み、前記口縫い台６５には支持ロッド６６がヒンジによって係合し取り付けられ、前記口縫い台６５において前記支持ロッド６６の前側には第一スライドロッド６７がヒンジによって係合し取り付けられ、前記制御溝６１が前記口縫いチャンバ１１の底壁に設けられ、且つ前記装置箱１０の底部端面と互いに連通しており、前記踏み板６２が前記制御溝６１の右側内壁にヒンジによって取り付けられ、前記踏み板６２には第二スライドロッド６８がスライドできるように係合し取り付けられ、前記第二スライドロッド６８と前記制御溝６１の右側内壁とがヒンジによって係合し、前記第二スライドロッド６８と前記第一スライドロッド６７とがスライドできるように係合し、前記支持ロッド６６と前記制御溝６１とがヒンジによって係合し取り付けられ、前記制御溝６１の右側内壁には総合制御スイッチ６９が固定的に取り付けられ、前記踏み板６２と前記制御溝６１の頂壁との間には復帰バネ６４が固定的に取り付けられ、前記踏み板６２には押しブロック６３が固定的に取り付けられ、前記押しブロック６３が前記制御溝６１の頂壁と押し当てることができ、これにより靴下の口縫いを縫い終わった後、踏み板６２を踏み、踏み板６２が第二スライドロッド６８と第一スライドロッド６７とを連動させて口縫い台６５を回し、踏み板６２を踏み続け、踏み板６２が総合制御スイッチ６９を押し、総合制御スイッチ６９がモーター２２を止め、総合制御スイッチ６９が第二シリンダー３２を起動し、踏み板６２を下ろした後、総合制御スイッチ６９がモーター２２を反転連動させ、第二シリンダー３２が戻り止まる。
【００１７】
有益的には、前記移動機構３０３は前記フライホイールチャンバ２７の右側に設けられた歯車チャンバ１８を含み、前記モーター２２の右側出力軸端面には第二モーター軸２１が固定的に連結され、前記第二モーター軸２１の右側端面には第一歯車２０が固定的に取り付けられ、前記歯車チャンバ１８の下側にはウォームホイールウォームチャンバ５３が設けられ、前記ウォームホイールウォームチャンバ５３と前記歯車チャンバ１８との間にはウォーム軸１７が回転できるように係合し取り付けられ、前記ウォーム軸１７の頂部端面には第二歯車１９が固定的に取り付けられ、前記第二歯車１９と前記第一歯車２０とが噛合し、前記ウォーム軸１７には一段のウォーム５６が設けられ、前記口縫いチャンバ１１の後側内壁には前記口縫いチャンバ１１と互いに連通しているネジ山スリーブスライド溝５７が設けられ、前記ネジ山スリーブ５８が前記支持台４４に固定的に取り付けられ、前記ネジ山スリーブ５８と前記ネジ山スリーブスライド溝５７とがスライドできるように係合し、前記ネジ山スリーブスライド溝５７と前記ウォームホイールウォームチャンバ５３との間にはネジ山軸５４が回転できるように係合し取り付けられ、前記ネジ山軸５４にはウォームホイール５５が固定的に取り付けられ、前記ウォームホイール５５が前記ウォーム５６と噛合し、前記ネジ山軸５４と前記ネジ山スリーブ５８とがねじ山によって係合し、これによりモーター２２を起動し、モーター２２が第一歯車２０を回転連動させ、第一歯車２０がウォーム５６を回転連動させ、ウォーム５６が回転してウォームホイール５５を回転連動させ、ウォームホイール５５が回転してネジ山スリーブ５８を前後に移動連動させ、ネジ山スリーブ５８が前後に移動することにより支持台４４を連動して靴下の口縫い位置を調節する。
【００１８】
使用する時、まず靴下を支持台４４に掛け、モーター２２を起動し、モーター２２がスライド軸２８と針３９とを上下にスライドさせて口を縫い、モーター２２が第一歯車２０を回転連動させ、第一歯車２０がウォームホイール５５を回転連動させ、ウォームホイール５５が回転してネジ山スリーブ５８を前後に移動連動させ、ネジ山スリーブ５８が前後に移動することにより支持台４４を連動して靴下の口縫い位置を調節し、挟みヘッド４０が靴下を挟んで口縫いの質を保証し、靴下の口縫いが終わった後に踏み板６２を踏み、踏み板６２が第二スライドロッド６８と第一スライドロッド６７とを連動させて口縫い台６５を回し、口縫い台６５が下ろされ、踏み板６２を踏み続け、踏み板６２が総合制御スイッチ６９を押し、総合制御スイッチ６９がモーター２２を止め、総合制御スイッチ６９が第二シリンダー３２を起動し、第二シリンダー３２がプッシュブロック３０を連動させ、針３９と挟みヘッド４０を上に押し動かし、第二シリンダー３２が折返し台４３を押し動かしてシリンダースイッチ４５を押し、シリンダースイッチ４５が第一シリンダー１５を起動連動させ、電磁ブロック５１を通電させ、電磁ブロック５１が磁性スライドスリーブ４７を吸着することによって押し広げロッド４６が靴下を押し広げ、第一シリンダー１５がスライドスリーブ５０を折返し台４３まで左に押し動かして折返し、折返し完了後に折返し台４３が戻リ、靴下を支持台４４に置き続け、踏み板６２を下ろし、踏み板６２が第二スライドロッド６８と第一スライドロッド６７とを連動させて口縫い台６５を回し、指定の位置に回した後、モーター２２が反転始動してスライド軸２８と針３９とを上下に運動させて口を二次縫い、モーター２２がネジ山スリーブ５８を移動連動させ、ネジ山スリーブ５８が支持台４４を移動連動させて靴下の縫う位置を再び調整する。
【００１９】
本発明の有益効果は：本発明は構造が簡単で、操作が便利であり、折返し機構によって口縫い完了の靴下を自動的に折返し、人員の手動労働を減らし、口縫い機構と移動機構との協働によって靴下の口を自動的に縫い成形させ、縫う口の質を保証し、本装置が口縫い成形と靴下折返しとを備え、プロセスを集中し、コストを下げ、生産効率を上げ、普及価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020176360.tif 000003
【図２】
2020176360.tif 000004
【図３】
2020176360.tif 000005
【手続補正書】
【提出日】令和1年8月31日(2019.8.31)
【手続補正１】
【補正対象書類名】特許請求の範囲
【補正対象項目名】全文
【補正方法】変更
【補正の内容】
【特許請求の範囲】
【請求項１】
装置箱を含み、前記装置箱の中には口縫いチャンバが設けられ、前記口縫いチャンバの中には靴下を折返す折返し機構が設けられ、前記折返し機構は靴下を支持する支持台と靴下を押し動かす押し広げロッドとを含み、前記折返し機構は折返し台も含み、前記折返し機構の上側には口縫い機構が設けられ、前記口縫い機構は針と口縫いの時に靴下を挟む挟みヘッドとを含み、前記口縫いチャンバの底壁には外部を連通している制御溝が設けられ、前記制御溝の中には制御機構が設けられ、前記制御機構は踏み板と装置の作動を制御する総合制御スイッチとを含み、前記折返し機構の後側には口縫い機構の運動と協働する移動機構が設けられ、前記移動機構は支持台を押し動かすネジ山スリーブを含み、
前記折返し機構はスライドスリーブを含み、前記スライドスリーブが前記支持台にスライドできるように係合し取り付けられ、前記支持台が前後にスライドできるように前記口縫いチャンバの右側内壁に取り付けられ、前記口縫いチャンバが前記装置箱の中に設けられ、前記口縫いチャンバの右側内壁の中には第一シリンダーが固定的に取り付けられ、前記第一シリンダーの左側のピストンプッシュロッドが第一シリンダー軸と固定的に連結され、前記第一シリンダー軸にはプッシュロッドが固定的に連結され、前記スライドスリーブにはスライドロッドが固定的に取り付けられ、前記スライドロッドと前記プッシュロッドとがスライドできるように係合し、前記スライドスリーブには電磁ブロックが固定的に取り付けられ、前記押し広げロッドが上下に対称的に前記スライドスリーブにヒンジによって取り付けられ、前記押し広げロッドと前記スライドスリーブとがヒンジによって連結されたところにはトーションバネが取り付けられ、前記スライドスリーブには磁性スライドスリーブがスライドできるように係合し取り付けられ、前記磁性スライドスリーブの中にはスライド溝が上下に対称的に設けられ、前記支持台の左側端面にはシリンダースイッチが固定的に取り付けられ、前記口縫いチャンバの左側には折返しチャンバが設けられ、前記折返しチャンバの上側には前記折返しチャンバと互いに連通している上げチャンバが設けられ、前記折返しチャンバの左側内壁の中には第二シリンダーが固定的に取り付けられ、前記第二シリンダーの右側ピストンプッシュロッドには第二シリンダー軸が固定的に連結され、前記第二シリンダー軸の右側端面にはプッシュブロックが固定的に取り付けられ、前記第二シリンダー軸には固定ロッドが固定的に取り付けられ、前記固定ロッドが前記折返し台に固定的に取り付けられ、前記折返し台と前記装置箱とがスライドできるように係合し、これにより第二シリンダーを起動し、第二シリンダーが折返し台を押し動かしてシリンダースイッチを押し、シリンダースイッチが第一シリンダーを起動連動させ、電磁ブロックを通電させ、電磁ブロックが磁性スライドスリーブを吸着することによって押し広げロッドが靴下を押し広げ、第一シリンダーがスライドスリーブを折返し台まで左に押し動かして靴下を折返し、折返し完了後に折返し台が戻り
前記口縫い機構はフライホイールチャンバを含み、前記フライホイールチャンバの右側内壁の中にはモーターが固定的に取り付けられ、前記モーターの左側出力軸には第一モーター軸が固定的に連結され、前記第一モーター軸の左側端面にはフライホイールが固定的に取り付けられ、前記フライホイールには第一連結ロッドが回転できるように係合し取り付けられ、前記第一連結ロッドには第二連結ロッドが回転できるように係合し取り付けられ、前記フライホイールチャンバと前記口縫いチャンバとの間にはスライド軸がスライドできるように係合し取り付けられ、前記スライド軸と前記第二連結ロッドとが回転できるように係合し取り付けられ、前記針が前記スライド軸の底部端面に固定的に取り付けられ、前記スライド軸にはスライドブロックが固定的に取り付けられ、前記スライドブロックと前記プッシュブロックとがスライドできるように係合し、前記スライド軸には挟みロッドが固定的に取り付けられ、前記挟みロッドには固定挟みロッドが固定的に取り付けられ、前記挟みヘッドが前記固定挟みロッドにスライドできるように係合し取り付けられ、前記挟みヘッドの中には挟みスライド溝が設けられ、前記挟みスライド溝の底壁と前記固定挟みロッドの底部端面との間には挟みバネが固定的に取り付けられ、これによりモーターを起動し、モーターがスライド軸と針とを上下にスライドさせて口を縫い、挟みヘッドが靴下を挟んで口縫いの質を保証し、口縫いが終わった後にモーターを止め、
前記制御機構は口縫い台を含み、前記口縫い台には支持ロッドがヒンジによって係合し取り付けられ、前記口縫い台において前記支持ロッドの前側には第一スライドロッドがヒンジによって係合し取り付けられ、前記制御溝が前記口縫いチャンバの底壁に設けられ、且つ前記装置箱の底部端面と互いに連通しており、前記踏み板が前記制御溝の右側内壁にヒンジによって取り付けられ、前記踏み板には第二スライドロッドがスライドできるように係合し取り付けられ、前記第二スライドロッドと前記制御溝の右側内壁とがヒンジによって係合し、前記第二スライドロッドと前記第一スライドロッドとがスライドできるように係合し、前記支持ロッドと前記制御溝とがヒンジによって係合し取り付けられ、前記制御溝の右側内壁には総合制御スイッチが固定的に取り付けられ、前記踏み板と前記制御溝の頂壁との間には復帰バネが固定的に取り付けられ、前記踏み板には押しブロックが固定的に取り付けられ、前記押しブロックが前記制御溝の頂壁と押し当てることができ、これにより靴下の口縫いを縫い終わった後、踏み板を踏み、踏み板が第二スライドロッドと第一スライドロッドとを連動させて口縫い台を回し、踏み板を踏み続け、踏み板が総合制御スイッチを押し、総合制御スイッチがモーターを止め、総合制御スイッチが第二シリンダーを起動し、
前記移動機構は前記フライホイールチャンバの右側に設けられた歯車チャンバを含み、前記モーターの右側出力軸端面には第二モーター軸が固定的に連結され、前記第二モーター軸の右側端面には第一歯車が固定的に取り付けられ、前記歯車チャンバの下側にはウォームホイールウォームチャンバが設けられ、前記ウォームホイールウォームチャンバと前記歯車チャンバとの間にはウォーム軸が回転できるように係合し取り付けられ、前記ウォーム軸の頂部端面には第二歯車が固定的に取り付けられ、前記第二歯車と前記第一歯車とが噛合し、前記ウォーム軸には一段のウォームが設けられ、前記口縫いチャンバの後側内壁には前記口縫いチャンバと互いに連通しているネジ山スリーブスライド溝が設けられ、前記ネジ山スリーブが前記支持台に固定的に取り付けられ、前記ネジ山スリーブと前記ネジ山スリーブスライド溝とがスライドできるように係合し、前記ネジ山スリーブスライド溝と前記ウォームホイールウォームチャンバとの間にはネジ山軸が回転できるように係合し取り付けられ、前記ネジ山軸にはウォームホイールが固定的に取り付けられ、前記ウォームホイールが前記ウォームと噛合し、前記ネジ山軸と前記ネジ山スリーブとがねじ山によって係合し、これによりモーターを起動し、モーターが第一歯車を回転連動させ、第一歯車がウォームを回転連動させ、ウォームが回転してウォームホイールを回転連動させ、ウォームホイールが回転してネジ山スリーブを前後に移動連動させ、ネジ山スリーブが前後に移動することにより支持台を連動して靴下の口縫い位置を調節することを特徴とする靴下成形設備。
【手続補正２】
【補正対象書類名】明細書
【補正対象項目名】全文
【補正方法】変更
【補正の内容】
【発明の詳細な説明】
【技術分野】
【０００１】
本発明は生活用品分野を取り上げて、具体的には靴下成形設備である。
【背景技術】
【０００２】
靴下は人々が履く日常用品として、使用量が非常に大きく、靴下を製造し成形する時に多数の労働者と、多種類の機械設備と、断続的な多数のプロセスとが必要とされ、靴下本体が作り終わった後に口を縫う必要があり、口を縫った後に靴下を折返す必要があり、一般的には手動で行うが、今使用されている成形設備は靴を折返す機能がなく、生産のプロセスが分けられており、大量の中間プロセスを増やし、効率が低くてコストが高くなり、設備が占める空間が大きく、生産面積の産能を下げ、従って、口縫い成形と靴下折返しとを備える加工成形設備が必要とされ、コストを下げ、効率を上げる。
【先行技術文献】
【特許文献】
【０００３】
【特許文献１】中国特許出願公開第１０６９５８１０８号明細書
【発明の概要】
【発明が解決しようとする課題】
【０００４】
本発明の目的は靴下成形設備を提供し、それは上記の現在の技術中の問題を解決できる。
【課題を解決するための手段】
【０００５】
本発明の靴下成形設備は、装置箱を含み、前記装置箱の中には口縫いチャンバが設けられ、前記口縫いチャンバの中には靴下を折返す折返し機構が設けられ、前記折返し機構は靴下を支持する支持台と靴下を押し動かす押し広げロッドとを含み、前記折返し機構は折返し台も含み、前記折返し機構の上側には口縫い機構が設けられ、前記口縫い機構は針と口縫いの時に靴下を挟む挟みヘッドとを含み、前記口縫いチャンバの底壁には外部を連通している制御溝が設けられ、前記制御溝の中には制御機構が設けられ、前記制御機構は踏み板と装置の作動を制御する総合制御スイッチとを含み、前記折返し機構の後側には口縫い機構の運動と協働する移動機構が設けられ、前記移動機構は支持台を押し動かすネジ山スリーブを含む。
【０００６】
更の技術プラン、前記折返し機構はスライドスリーブを含み、前記スライドスリーブが前記支持台にスライドできるように係合し取り付けられ、前記支持台が前後にスライドできるように前記口縫いチャンバの右側内壁に取り付けられ、前記口縫いチャンバが前記装置箱の中に設けられ、前記口縫いチャンバの右側内壁の中には第一シリンダーが固定的に取り付けられ、前記第一シリンダーの左側のピストンプッシュロッドが第一シリンダー軸と固定的に連結され、前記第一シリンダー軸にはプッシュロッドが固定的に連結され、前記スライドスリーブにはスライドロッドが固定的に取り付けられ、前記スライドロッドと前記プッシュロッドとがスライドできるように係合し、前記スライドスリーブには電磁ブロックが固定的に取り付けられ、前記押し広げロッドが上下に対称的に前記スライドスリーブにヒンジによって取り付けられ、前記押し広げロッドと前記スライドスリーブとがヒンジによって連結されたところにはトーションバネが取り付けられ、前記スライドスリーブには磁性スライドスリーブがスライドできるように係合し取り付けられ、前記磁性スライドスリーブの中にはスライド溝が上下に対称的に設けられ、前記支持台の左側端面にはシリンダースイッチが固定的に取り付けられ、前記口縫いチャンバの左側には折返しチャンバが設けられ、前記折返しチャンバの上側には前記折返しチャンバと互いに連通している上げチャンバが設けられ、前記折返しチャンバの左側内壁の中には第二シリンダーが固定的に取り付けられ、前記第二シリンダーの右側ピストンプッシュロッドには第二シリンダー軸が固定的に連結され、前記第二シリンダー軸の右側端面にはプッシュブロックが固定的に取り付けられ、前記第二シリンダー軸には固定ロッドが固定的に取り付けられ、前記固定ロッドが前記折返し台に固定的に取り付けられ、前記折返し台と前記装置箱とがスライドできるように係合する。
【０００７】
更の技術プラン、前記口縫い機構はフライホイールチャンバを含み、前記フライホイールチャンバの右側内壁の中にはモーターが固定的に取り付けられ、前記モーターの左側出力軸には第一モーター軸が固定的に連結され、前記第一モーター軸の左側端面にはフライホイールが固定的に取り付けられ、前記フライホイールには第一連結ロッドが回転できるように係合し取り付けられ、前記第一連結ロッドには第二連結ロッドが回転できるように係合し取り付けられ、前記フライホイールチャンバと前記口縫いチャンバとの間にはスライド軸がスライドできるように係合し取り付けられ、前記スライド軸と前記第二連結ロッドとが回転できるように係合し取り付けられ、前記針が前記スライド軸の底部端面に固定的に取り付けられ、前記スライド軸にはスライドブロックが固定的に取り付けられ、前記スライドブロックと前記プッシュブロックとがスライドできるように係合し、前記スライド軸には挟みロッドが固定的に取り付けられ、前記挟みロッドには固定挟みロッドが固定的に取り付けられ、前記挟みヘッドが前記固定挟みロッドにスライドできるように係合し取り付けられ、前記挟みヘッドの中には挟みスライド溝が設けられ、前記挟みスライド溝の底壁と前記固定挟みロッドの底部端面との間には挟みバネが固定的に取り付けられる。
【０００８】
更の技術プラン、前記制御機構は口縫い台を含み、前記口縫い台には支持ロッドがヒンジによって係合し取り付けられ、前記口縫い台において前記支持ロッドの前側には第一スライドロッドがヒンジによって係合し取り付けられ、前記制御溝が前記口縫いチャンバの底壁に設けられ、且つ前記装置箱の底部端面と互いに連通しており、前記踏み板が前記制御溝の右側内壁にヒンジによって取り付けられ、前記踏み板には第二スライドロッドがスライドできるように係合し取り付けられ、前記第二スライドロッドと前記制御溝の右側内壁とがヒンジによって係合し、前記第二スライドロッドと前記第一スライドロッドとがスライドできるように係合し、前記支持ロッドと前記制御溝とがヒンジによって係合し取り付けられ、前記制御溝の右側内壁には総合制御スイッチが固定的に取り付けられ、前記踏み板と前記制御溝の頂壁との間には復帰バネが固定的に取り付けられ、前記踏み板には押しブロックが固定的に取り付けられ、前記押しブロックが前記制御溝の頂壁と押し当てることができる。
【０００９】
更の技術プラン、前記移動機構は前記フライホイールチャンバの右側に設けられた歯車チャンバを含み、前記モーターの右側出力軸端面には第二モーター軸が固定的に連結され、前記第二モーター軸の右側端面には第一歯車が固定的に取り付けられ、前記歯車チャンバの下側にはウォームホイールウォームチャンバが設けられ、前記ウォームホイールウォームチャンバと前記歯車チャンバとの間にはウォーム軸が回転できるように係合し取り付けられ、前記ウォーム軸の頂部端面には第二歯車が固定的に取り付けられ、前記第二歯車と前記第一歯車とが噛合し、前記ウォーム軸には一段のウォームが設けられ、前記口縫いチャンバの後側内壁には前記口縫いチャンバと互いに連通しているネジ山スリーブスライド溝が設けられ、前記ネジ山スリーブが前記支持台に固定的に取り付けられ、前記ネジ山スリーブと前記ネジ山スリーブスライド溝とがスライドできるように係合し、前記ネジ山スリーブスライド溝と前記ウォームホイールウォームチャンバとの間にはネジ山軸が回転できるように係合し取り付けられ、前記ネジ山軸にはウォームホイールが固定的に取り付けられ、前記ウォームホイールが前記ウォームと噛合し、前記ネジ山軸と前記ネジ山スリーブとがねじ山によって係合する。
【発明の効果】
【００１０】
本発明は構造が簡単で、操作が便利であり、折返し機構によって口縫い完了の靴下を自動的に折返し、人員の手動労働を減らし、口縫い機構と移動機構との協働によって靴下の口を自動的に縫い成形させ、縫う口の質を保証し、本装置が口縫い成形と靴下折返しとを備え、プロセスを集中し、コストを下げ、生産効率を上げ、普及価値がある。
【図面の簡単な説明】
【００１１】
【図１】図１は本発明の全体構成略図
【図２】図２は図１のＡ−Ａの断面構成略図
【図３】図３は図１のＢ−Ｂの断面構成略図
【発明を実施するための形態】
【００１２】
以下、図１−３を合わせて本発明について詳しく説明し、また、説明の便利を図るため、下記に記載の上下左右前後方向が図１自身の投影関係の上下左右前後方向と一致することにする。
【００１３】
図１−３を参照し、本発明の靴下成形設備は、装置箱１０を含み、前記装置箱１０の中には口縫いチャンバ１１が設けられ、前記口縫いチャンバ１１の中には靴下を折返す折返し機構３００が設けられ、前記折返し機構３００は靴下を支持する支持台４４と靴下を押し動かす押し広げロッド４６とを含み、前記折返し機構３００は折返し台４３も含み、前記折返し機構３００の上側には口縫い機構３０１が設けられ、前記口縫い機構３０１は針３９と口縫いの時に靴下を挟む挟みヘッド４０とを含み、前記口縫いチャンバ１１の底壁には外部を連通している制御溝６１が設けられ、前記制御溝６１の中には制御機構３０２が設けられ、前記制御機構３０２は踏み板６２と装置の作動を制御する総合制御スイッチ６９とを含み、前記折返し機構３００の後側には口縫い機構３０１の運動と協働する移動機構３０３が設けられ、前記移動機構３０３は支持台４４を押し動かすネジ山スリーブ５８を含む。
【００１４】
有益的には、前記折返し機構３００はスライドスリーブ５０を含み、前記スライドスリーブ５０が前記支持台４４にスライドできるように係合し取り付けられ、前記支持台４４が前後にスライドできるように前記口縫いチャンバ１１の右側内壁に取り付けられ、前記口縫いチャンバ１１が前記装置箱１０の中に設けられ、前記口縫いチャンバ１１の右側内壁の中には第一シリンダー１５が固定的に取り付けられ、前記第一シリンダー１５の左側のピストンプッシュロッドが第一シリンダー軸１６と固定的に連結され、前記第一シリンダー軸１６にはプッシュロッド１４が固定的に連結され、前記スライドスリーブ５０にはスライドロッド６０が固定的に取り付けられ、前記スライドロッド６０と前記プッシュロッド１４とがスライドできるように係合し、前記スライドスリーブ５０には電磁ブロック５１が固定的に取り付けられ、前記押し広げロッド４６が上下に対称的に前記スライドスリーブ５０にヒンジによって取り付けられ、前記押し広げロッド４６と前記スライドスリーブ５０とがヒンジによって連結されたところにはトーションバネが取り付けられ、前記スライドスリーブ５０には磁性スライドスリーブ４７がスライドできるように係合し取り付けられ、前記磁性スライドスリーブ４７の中にはスライド溝４８が上下に対称的に設けられ、前記支持台４４の左側端面にはシリンダースイッチ４５が固定的に取り付けられ、前記口縫いチャンバ１１の左側には折返しチャンバ３６が設けられ、前記折返しチャンバ３６の上側には前記折返しチャンバ３６と互いに連通している上げチャンバ３５が設けられ、前記折返しチャンバ３６の左側内壁の中には第二シリンダー３２が固定的に取り付けられ、前記第二シリンダー３２の右側ピストンプッシュロッドには第二シリンダー軸３３が固定的に連結され、前記第二シリンダー軸３３の右側端面にはプッシュブロック３０が固定的に取り付けられ、前記第二シリンダー軸３３には固定ロッド３４が固定的に取り付けられ、前記固定ロッド３４が前記折返し台４３に固定的に取り付けられ、前記折返し台４３と前記装置箱１０とがスライドできるように係合し、これにより第二シリンダー３２を起動し、第二シリンダー３２が折返し台４３を押し動かしてシリンダースイッチ４５を押し、シリンダースイッチ４５が第一シリンダー１５を起動連動させ、電磁ブロック５１を通電させ、電磁ブロック５１が磁性スライドスリーブ４７を吸着することによって押し広げロッド４６が靴下を押し広げ、第一シリンダー１５がスライドスリーブ５０を折返し台４３まで左に押し動かして靴下を折返し、折返し完了後に折返し台４３が戻る。
【００１５】
有益的には、前記口縫い機構３０１はフライホイールチャンバ２７を含み、前記フライホイールチャンバ２７の右側内壁の中にはモーター２２が固定的に取り付けられ、前記モーター２２の左側出力軸には第一モーター軸２３が固定的に連結され、前記第一モーター軸２３の左側端面にはフライホイール２４が固定的に取り付けられ、前記フライホイール２４には第一連結ロッド２５が回転できるように係合し取り付けられ、前記第一連結ロッド２５には第二連結ロッド２６が回転できるように係合し取り付けられ、前記フライホイールチャンバ２７と前記口縫いチャンバ１１との間にはスライド軸２８がスライドできるように係合し取り付けられ、前記スライド軸２８と前記第二連結ロッド２６とが回転できるように係合し取り付けられ、前記針３９が前記スライド軸２８の底部端面に固定的に取り付けられ、前記スライド軸２８にはスライドブロック２９が固定的に取り付けられ、前記スライドブロック２９と前記プッシュブロック３０とがスライドできるように係合し、前記スライド軸２８には挟みロッド３７が固定的に取り付けられ、前記挟みロッド３７には固定挟みロッド３８が固定的に取り付けられ、前記挟みヘッド４０が前記固定挟みロッド３８にスライドできるように係合し取り付けられ、前記挟みヘッド４０の中には挟みスライド溝４１が設けられ、前記挟みスライド溝４１の底壁と前記固定挟みロッド３８の底部端面との間には挟みバネ４２が固定的に取り付けられ、これによりモーター２２を起動し、モーター２２がスライド軸２８と針３９とを上下にスライドさせて口を縫い、挟みヘッド４０が靴下を挟んで口縫いの質を保証し、口縫いが終わった後にモーター２２を止め、第二シリンダー３２が始動してプッシュブロック３０を連動させ、プッシュブロック３０がスライド軸２８を上に押し動かし、針３９を口縫い状態から離脱させる。
【００１６】
有益的には、前記制御機構３０２は口縫い台６５を含み、前記口縫い台６５には支持ロッド６６がヒンジによって係合し取り付けられ、前記口縫い台６５において前記支持ロッド６６の前側には第一スライドロッド６７がヒンジによって係合し取り付けられ、前記制御溝６１が前記口縫いチャンバ１１の底壁に設けられ、且つ前記装置箱１０の底部端面と互いに連通しており、前記踏み板６２が前記制御溝６１の右側内壁にヒンジによって取り付けられ、前記踏み板６２には第二スライドロッド６８がスライドできるように係合し取り付けられ、前記第二スライドロッド６８と前記制御溝６１の右側内壁とがヒンジによって係合し、前記第二スライドロッド６８と前記第一スライドロッド６７とがスライドできるように係合し、前記支持ロッド６６と前記制御溝６１とがヒンジによって係合し取り付けられ、前記制御溝６１の右側内壁には総合制御スイッチ６９が固定的に取り付けられ、前記踏み板６２と前記制御溝６１の頂壁との間には復帰バネ６４が固定的に取り付けられ、前記踏み板６２には押しブロック６３が固定的に取り付けられ、前記押しブロック６３が前記制御溝６１の頂壁と押し当てることができ、これにより靴下の口縫いを縫い終わった後、踏み板６２を踏み、踏み板６２が第二スライドロッド６８と第一スライドロッド６７とを連動させて口縫い台６５を回し、踏み板６２を踏み続け、踏み板６２が総合制御スイッチ６９を押し、総合制御スイッチ６９がモーター２２を止め、総合制御スイッチ６９が第二シリンダー３２を起動し、踏み板６２を下ろした後、総合制御スイッチ６９がモーター２２を反転連動させ、第二シリンダー３２が戻り止まる。
【００１７】
有益的には、前記移動機構３０３は前記フライホイールチャンバ２７の右側に設けられた歯車チャンバ１８を含み、前記モーター２２の右側出力軸端面には第二モーター軸２１が固定的に連結され、前記第二モーター軸２１の右側端面には第一歯車２０が固定的に取り付けられ、前記歯車チャンバ１８の下側にはウォームホイールウォームチャンバ５３が設けられ、前記ウォームホイールウォームチャンバ５３と前記歯車チャンバ１８との間にはウォーム軸１７が回転できるように係合し取り付けられ、前記ウォーム軸１７の頂部端面には第二歯車１９が固定的に取り付けられ、前記第二歯車１９と前記第一歯車２０とが噛合し、前記ウォーム軸１７には一段のウォーム５６が設けられ、前記口縫いチャンバ１１の後側内壁には前記口縫いチャンバ１１と互いに連通しているネジ山スリーブスライド溝５７が設けられ、前記ネジ山スリーブ５８が前記支持台４４に固定的に取り付けられ、前記ネジ山スリーブ５８と前記ネジ山スリーブスライド溝５７とがスライドできるように係合し、前記ネジ山スリーブスライド溝５７と前記ウォームホイールウォームチャンバ５３との間にはネジ山軸５４が回転できるように係合し取り付けられ、前記ネジ山軸５４にはウォームホイール５５が固定的に取り付けられ、前記ウォームホイール５５が前記ウォーム５６と噛合し、前記ネジ山軸５４と前記ネジ山スリーブ５８とがねじ山によって係合し、これによりモーター２２を起動し、モーター２２が第一歯車２０を回転連動させ、第一歯車２０がウォーム５６を回転連動させ、ウォーム５６が回転してウォームホイール５５を回転連動させ、ウォームホイール５５が回転してネジ山スリーブ５８を前後に移動連動させ、ネジ山スリーブ５８が前後に移動することにより支持台４４を連動して靴下の口縫い位置を調節する。
【００１８】
使用する時、まず靴下を支持台４４に掛け、モーター２２を起動し、モーター２２がスライド軸２８と針３９とを上下にスライドさせて口を縫い、モーター２２が第一歯車２０を回転連動させ、第一歯車２０がウォームホイール５５を回転連動させ、ウォームホイール５５が回転してネジ山スリーブ５８を前後に移動連動させ、ネジ山スリーブ５８が前後に移動することにより支持台４４を連動して靴下の口縫い位置を調節し、挟みヘッド４０が靴下を挟んで口縫いの質を保証し、靴下の口縫いが終わった後に踏み板６２を踏み、踏み板６２が第二スライドロッド６８と第一スライドロッド６７とを連動させて口縫い台６５を回し、口縫い台６５が下ろされ、踏み板６２を踏み続け、踏み板６２が総合制御スイッチ６９を押し、総合制御スイッチ６９がモーター２２を止め、総合制御スイッチ６９が第二シリンダー３２を起動し、第二シリンダー３２がプッシュブロック３０を連動させ、針３９と挟みヘッド４０を上に押し動かし、第二シリンダー３２が折返し台４３を押し動かしてシリンダースイッチ４５を押し、シリンダースイッチ４５が第一シリンダー１５を起動連動させ、電磁ブロック５１を通電させ、電磁ブロック５１が磁性スライドスリーブ４７を吸着することによって押し広げロッド４６が靴下を押し広げ、第一シリンダー１５がスライドスリーブ５０を折返し台４３まで左に押し動かして折返し、折返し完了後に折返し台４３が戻リ、靴下を支持台４４に置き続け、踏み板６２を下ろし、踏み板６２が第二スライドロッド６８と第一スライドロッド６７とを連動させて口縫い台６５を回し、指定の位置に回した後、モーター２２が反転始動してスライド軸２８と針３９とを上下に運動させて口を二次縫い、モーター２２がネジ山スリーブ５８を移動連動させ、ネジ山スリーブ５８が支持台４４を移動連動させて靴下の縫う位置を再び調整する。
【００１９】
本発明の有益効果は：本発明は構造が簡単で、操作が便利であり、折返し機構によって口縫い完了の靴下を自動的に折返し、人員の手動労働を減らし、口縫い機構と移動機構との協働によって靴下の口を自動的に縫い成形させ、縫う口の質を保証し、本装置が口縫い成形と靴下折返しとを備え、プロセスを集中し、コストを下げ、生産効率を上げ、普及価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。